(57)【要約】【課題】切れにくく、かつループも解けにくいトンス用ロープを実現する。【解決手段】ロープ本体３０の一側およびロープ本体３０の他側が折り返されてロープ本体３０に編み込まれることによりループ６がそれぞれ形成される。編み込まれたロープ本体３０の一側端部が他側寄りに位置し、編み込まれたロープ本体３０の他側端部が一側寄りに位置し、ロープ本体３０の中央部分においてロープ本体３０の一側とロープ本体３０の他側とが重なる。ロープ本体３０の中央部分が紐３１により縛られ、ロープ本体３０に保護テープ３２が巻かれ、ロープ本体３０の中央部分がカバー３３で覆われる。【選択図】図４
2018199871.tif 000002
【特許請求の範囲】
【請求項１】
複数のストランドを撚り合わせた繊維ロープであり、両側にループを有するトンス用ロープであって、ロープ本体の一側およびロープ本体の他側が折り返されてロープ本体に編み込まれることによりループがそれぞれ形成され、編み込まれたロープ本体の一側端部が他側寄りに位置し、編み込まれたロープ本体の他側端部が一側寄りに位置し、ロープ本体の中央部分においてロープ本体の一側とロープ本体の他側とが重なることを特徴とするトンス用ロープ。
【請求項２】
プリロードがかけられたロープ本体に保護テープが巻かれたことを特徴とする請求項１記載のトンス用ロープ。
【請求項３】
ロープ本体の中央部分が紐により縛られたことを特徴とする請求項１または２記載のトンス用ロープ。
【請求項４】
ロープ本体の中央部分がカバーで覆われたことを特徴とする請求項１〜３のいずれかに記載のトンス用ロープ。
【発明の詳細な説明】
【技術分野】
【０００１】
本発明は、線材を線材巻取ドラムに巻き取るときに使用するトンス用のロープに関する。
【背景技術】
【０００２】
伸線機によって引き抜かれた線材はドラムに巻き取られる。このとき、トンスを使用して、線材の先端がドラムに巻き付けられる。トンスの他側には、チャックが装着され、チャックによって線材の先端が保持される。トンスの一側には、フックが装着され、フックはドラムに取り付けられる。チャックとフックとはチェーンによってつながれている。
【０００３】
ユーザは、トンスのフックをドラムに形成された溝に引っ掛け、チャックに線材の先端を挿入して固定する。ところで、金属製のチェーンは重いので、トンスを取り扱いにくく、ユーザの作業性が悪い。また、チェーンが切れた場合、チェーンが飛び跳ねて、周囲にあるものを傷付けるおそれがある。そこで、チェーンの代わりに、特許文献１に記載のようにロープ、あるいは特許文献２に記載のように紐を用いたものがある。このように繊維製のロープ等を用いることにより、トンスが軽量になるとともに、トンスの取り回しもよくなり、ユーザは作業を行いやすくなる。
【先行技術文献】
【特許文献】
【０００４】
【特許文献１】特開平２−１４２６１４号公報
【特許文献２】実開昭５６−６５７０９号公報
【発明の概要】
【発明が解決しようとする課題】
【０００５】
トンスには大きな負荷がかかるため、使用中にロープが切れるおそれがある。そして、ロープにフックやチャックを装着するために、ロープの両側にループが形成されている。このループに負荷がかかって、ループが解けてしまうおそれがある。そこで、本発明は、上記に鑑み、切れにくく、かつループも解けにくいトンス用ロープの提供を目的とする。
【課題を解決するための手段】
【０００６】
本発明のトンス用ロープは、複数のストランドを撚り合わせた繊維ロープであり、両側にループを有する。そして、ロープ本体の一側およびロープ本体の他側が折り返されてロープ本体に編み込まれることによりループがそれぞれ形成され、編み込まれたロープ本体の一側端部が他側寄りに位置し、編み込まれたロープ本体の他側端部が一側寄りに位置し、ロープ本体の中央部分においてロープ本体の一側とロープ本体の他側とが重なる。
【０００７】
上記のようなロープの構造により、ロープ本体におけるループ作成のための編み込み部分が３重構造となる。編み込まれたロープ本体の一側および他側は解けにくくなる。
【０００８】
プリロードがかけられたロープ本体に保護テープが巻かれ、ロープ本体の中央部分が紐により縛られる。プリロードにより緩みが伸ばされたロープ本体に保護テープが巻かれることにより、編み込み部分が締って、緩みにくくなる。また、ロープ本体内に編み込まれた両端部がロープ本体から外側に飛び出さなくなる。そして、ロープ本体の中央部分がカバーで覆われる。これにより、ロープの損傷を防ぎ、ドラムを傷付けない。
【発明の効果】
【０００９】
本発明によると、ロープ本体の編み込み部分が堅固になることにより、ループが解けにくく、かつ切れにくいロープを実現できる。
【図面の簡単な説明】
【００１０】
【図１】本発明のロープを用いたトンスをドラムに装着した状態を示す図
【図２】ループを作成するために一側を折り返したロープを示す図
【図３】ロープ本体の一側を編み込んだロープを示す図
【図４】両側にループが形成されたロープを示す図
【図５】ロープ本体の中央を縛ったロープを示す図
【図６】保護テープを巻き付けたロープを示す図
【図７】カバーを被せたロープを示す図
【発明を実施するための形態】
【００１１】
本発明のロープを用いたトンスを図１に示す。トンス１は、伸線機によって引き抜き加工された線材を巻き取る線材巻取ドラム２に使用され、線材Ｗの始端を保持するチャック３と、ドラム２に取り付けられるフック４とを有する。チャック３とフック４とがロープ５によってつながれる。ロープ５の両側に、ループ６が形成され、一側のループ６に、チャック３が装着され、他側のループ６に、フック４が装着される。
【００１２】
トンス１は、ドラム２の外周に形成された溝７に装着される。フック４は、ドラム２の溝７内に取り付けられる支持具１０と、ロープ５が取り付けられる取付具１１と、トンス１を巻取時の緊張状態と取付時の弛緩状態とに切り換えるレバー１２とを有する。支持具１０は、ドラム２の溝７に設けられた横軸１３に回動可能に支持される。レバー１２は、第１軸１４を介して支持具１０に回動可能に取り付けられ、レバー１２に第２軸１５を介してリンク１６が取り付けられる。取付具１１は、第３軸１７を介してリンク１６に取り付けられる。ピン１８がロープ５の他側のループ６に挿入されて、取付具１１がロープ５に装着される。そして、レバー１２の回動により、リンク１６を介して取付具１１が移動し、ロープ５が引っ張られたり緩んだりして、トンス１の状態が切り換えられる。
【００１３】
チャック３は、ピン１９を介してロープ５の一側のループ６に装着される。チャック３の挿入孔２０に線材Ｗの始端が挿入され、くさび２１を打ち込むことによって線材Ｗがチャック３に保持される。
【００１４】
図２〜７に示すように、ロープ５は、複数のストランドを撚り合わせた繊維ロープ、例えば高強度ポリエチレン繊維製のロープであって、ロープ本体３０と両側のループ６とから構成される。ループ６は、ロープ本体３０の一側および他側を折り返してロープ本体３０に編み込むアイスプライス（さつま編み）加工によりそれぞれ形成される。そして、ロープ本体３０の中央部分において、互いに編み込まれたロープ本体３０の一側とロープ本体３０の他側とが重なる。
【００１５】
ここで、切れにくく、かつループ６が解けにくいロープ５の製作手順を説明する。図２に示すように、まずロープ本体３０の一側にループ６を作る。このとき、設定されたループ６の大きさに基づいて決まる基端位置Ａにおいて、一側端部をロープ本体３０に通す。そして、ロープ本体３０に編み込むスプライス量は、ロープ本体３０に編み込まれた一側端部の先端位置がロープ本体３０の他側のループ６の近くになるように設定される。このスプライス量だけロープ本体３０の一側を基端位置Ａに通すと、設定された大きさのループ６ができる。
【００１６】
さらに、一側端部をロープ本体３０に通しながら、ロープ本体３０の一側をロープ本体３０の他側に向かって編み込んでいく。ロープ５が一本に見えるようになるまで差し込み、内側と外側のストランドが密着するように締め上げる。図３に示すように、編み込まれた一側端部がロープ本体３０の他側寄りの先端位置Ｂに達する。一側端部はロープ本体３０の内部にあり、ロープ本体３０の外周には突出しない。
【００１７】
同様にして、ロープ本体３０の他側にもループ６を作る。ロープ本体３０の他側を一側に向かって編み込む。図４に示すように、編み込まれた他側端部は、ロープ本体３０の一側寄りの先端位置Ｃにあり、ロープ本体３０の外周から突出していない。ロープ本体３０の中央部分において、ロープ本体３０の一側と他側とが重なる。すなわち、ロープ本体３０の中央部分のＢ−Ｃ間では、３重構造になる。なお、通常のアイスプライス加工では、ロープ本体３０の一側の編み込みと他側の編み込みとは重ならない。
【００１８】
アイスプライス加工後、ロープ本体３０にプリロードをかける。ロープ本体３０の編み込み部分が伸ばされ、編み込み時にできた隙間がなくなり、ロープ５全体が引き締められる。この後、図５に示すように、３重に重なったロープ本体３０の中央を紐３１で縛って、縫い留める。このように、ロープ本体３０の中央部分を縛ることにより、編み込まれたロープ５の端部がロープ本体３０から外側に飛び出さなくなり、堅固な編み込みを実現できる。
【００１９】
図６に示すように、ロープ本体３０およびループ６に保護テープ３２を巻き付ける。保護テープ３２は、クロステープのようなポリエステルクロスにアクリル系の粘着剤を塗布した粘着テープが用いられる。保護テープ３２を巻くことにより、ロープ５を締め付けることができ、さらに油や水などの外部からの異物がロープ本体３０に触れることを防ぐことができる。したがって、編み込み部分が緩んでくることを防止でき、ロープ５に繰り返しの荷重がかかっても編み込み部分が伸縮しにくくなり、ロープ５が切れることを防げる。
【００２０】
図７に示すように、このように製作されたロープ５にカバー３３が被せられる。カバー３３は、面ファスナ付きの帆布からなる。両側のループ６の基端位置Ａの間でカバー３３がロープ本体３０に巻かれ、面ファスナによって留められる。このカバー３３は、両側のループ６を除くロープ本体３０の中央部分を覆う。また、ループ６には、ロープ本体３０のカバー３３とは別のカバー３４が被せられる。なお、カバー３４をループ６に被せずに、保護テープ３２を巻き付けただけで使用してもよい。また、カバー３３は、樹脂製あるいはゴム製のシートから形成してもよい。
【００２１】
線材Ｗを巻き取るとき、フック４をドラム２の溝７に取り付け、チャック３に線材Ｗの始端を装着する。ドラム２を回転させると、トンス１のロープ５に張力がかかり、ロープ５はドラム２の外周面に密着しながらスライドする。引き抜き加工された線材Ｗはドラム２の外周面に巻き取られる。
【００２２】
ロープ５を用いたトンス１は金属製のチェーンやワイヤを用いたものに比べて軽量であるので、トンス１の取り扱いが容易になり、伸線の段取りが楽になる。ロープ５には予めプリロードをかけて伸ばしているので、トンス１の使用開始時にロープ５に張力がかかっても、初期伸びが生じない。そのため、ドラム２が回転し始めたときにロープ５がぶれないので、線材Ｗが振動することがなく、線材Ｗにダメージを与えない。
【００２３】
また、ロープ５はカバー３３に覆われているので、ロープ５がドラム２や巻き取られた線材Ｗに直接接触せず、ロープ５の損傷を防ぐことができ、ドラム２の外周面が傷付くことを防げる。さらに、ロープ本体３０の中央部分では、３重構造の編み込みになっているので、編み込みが解けにくくなり、ロープの引張強度が高まることにより、切れにくくなる。
【００２４】
なお、本発明は、上記実施形態に限定されるものではなく、本発明の範囲内で上記実施形態に多くの修正および変更を加え得ることは勿論である。ロープ５は、上記の繊維ロープに限らず、人工クモ糸を用いた繊維ロープであってもよい。また、上記のようにドラム２にフック４を支持具１０等の金具を介して取り付ける代わりに、フック４をドラム２に直接引っ掛けて、フック４を取り付けるようにしてもよい。
【符号の説明】
【００２５】
１    トンス
２    ドラム
３    チャック
４    フック
５    ロープ
６    ループ
３０    ロープ本体
３１    紐
３２    保護テープ
３３    カバー
【図１】
2018199871.tif 000003
【図２】
2018199871.tif 000004
【図３】
2018199871.tif 000005
【図４】
2018199871.tif 000006
【図５】
2018199871.tif 000007
【図６】
2018199871.tif 000008
【図７】
2018199871.tif 000009